(57)【特許請求の範囲】
【請求項１】
透明電極を配置した透明絶縁基板と、
反射機能を持つ複数の反射電極を配置した絶縁基板と、
前記透明絶縁基板、前記絶縁基板間に挟持された液晶層を有する反射型液晶表示装置において、
前記複数の反射電極は散乱性を有し、かつ表面に凹凸形状を有し、
前記凹凸形状は反射電極毎に同じ線対称軸を有し、
前記線対称軸に対して平行に見た前記凹凸形状の断面形状は、左右非対称であり、
前記反射電極毎の線対称軸の方位角は、前記反射型液晶表示装置の上側中央部と定められた視認位置と反射電極のなす方位角と同一方向である反射型液晶表示装置。
【請求項２】
前記反射電極は、視認位置方向に対して指向性を付与した請求項１に記載の反射型液晶表示装置。
【請求項３】
請求項１もしくは２のいずれかに記載の液晶表示装置において、前記反射電極は、表面に形成される個々の凹凸形状の底面形状が線対称であり、かつ非回転対称である反射型液晶表示装置。
【請求項４】
請求項１もしくは２のいずれかに記載の反射型液晶表示装置において、前記反射電極は、表面の個々の凹凸形状の底面形状がほぼ半円である反射型液晶表示装置。
【請求項５】
請求項３に記載の液晶表示装置において、反射型液晶表示装置の左上を座標原点（０，０）とし、水平方向右向きをｘ、垂直方向下向きをｙとした直交座標において、基準点を（ｘ0 ，ｙ0 ）とし、各反射電極の位置を（ｘ，ｙ）、反射型液晶表示装置の水平方向右向きを０゜としそこから反時計周りに角度φを規定した場合に、１つの反射電極内に形成した全凹凸形状の線対称軸の方位角の平均値φu が、
0003858519.tif 000004
の範囲内であることを特徴とする反射型液晶表示装置。
【請求項６】
請求項５に記載の反射型液晶表示装置において、反射型液晶表示装置の大きさを(ｋ，０.７５ｋ)とした場合に（０，０）を含む端部にある反射電極内に形成した全凹凸形状の線対称軸の方位角の平均値φua、及び（ｋ，０）を含む端部にある反射電極内に形成した全凹凸形状の線対称軸の方位角の平均値φubが、
−１０７゜＜φua＜１０７゜，７３゜＜φub＜２８７°
内に含まれていることを特徴とする反射型液晶表示装置。
【請求項７】
請求項１から６のいずれかに記載の反射型液晶表示装置において液晶がねじれ配向を有するネマティック液晶であり、かつツイスト角が０゜以上９０゜未満であることを特徴とする反射型液晶表示装置。
【請求項８】
請求項７に記載の反射型液晶表示装置において液晶の立ち上がり方向が反射型液晶表示装置の下側に向いていることを特徴とする反射型液晶表示装置。
【発明の詳細な説明】
【０００１】
【発明の属する技術分野】
本発明はバックライトを用いずに明るい表示を実現する反射型液晶表示装置の構成に関する。
【０００２】
【従来の技術】
従来、反射型液晶表示装置は、例えば特開平10−177106号公報に記載されている構造を有している。従来の反射型液晶表示装置の平面図を図１７に製造工程手順を図１８に示す。図１７には従来構造の一例を示しており、反射電極表面に形成している凹凸の１０２底面形状は半円形である。また、半円の直線部分と垂直な方向で断面を見た場合には左右方向で形状が非対称である。このような凹凸
１０２を形成することにより特定の方向に光を強く反射することができる。その図１７に示した凹凸１０２は図１８に示すように、
（１）基板上に有機膜を塗布し、露光，現像工程により底面形状が半円形状とな
るようにパターニングする（図１８（ａ)〜(ｃ））。
【０００３】
（２）パターン形成後の熱処理時に半円形の直線部分が上を向くように、基板を
を傾け、熱処理をする（図１８（ｄ)〜(ｅ））。
【０００４】
（３）熱処理後、反射電極となる金属膜を蒸着，スパッタリング等の手法で形成
する（図１８（ｆ））。
【０００５】
の工程を経て形成される。この凹凸１０２は断面の傾きの急峻な方向（図１８  （ｆ）右側）への反射光を少なくするし、傾きの急峻な方向への反射光を低減させた分、傾きの緩やかな方向（図１８（ｆ）左側）へは強い光を反射させる。凹凸１０２を持つ反射電極１８を反射型液晶表示装置に適用することにより、強く光を反射させる方向からの視認性が良くなるため、断面形状が左右対称な凹凸を形成した場合よりも明るい反射型液晶表示装置を実現することができる。
【０００６】
【発明が解決しようとする課題】
従来の方法では、各反射電極の凹凸１０２の向きに関しては開示されていない。
【０００７】
反射型液晶表示装置が小型の場合には反射型液晶表示装置内に含まれている全ての反射電極に同じ向きの凹凸を形成することにより、明るい表示装置を実現することができるが、表示装置が大型化すると、観測者が表示装置を見た場合に、装置左端，右端、及び装置中央部では視認方向と反射電極のなす角が大きく異なるため、明るさの異なる表示となる。そこで、反射型液晶表示装置が大型化しても観測者が見た場合に画面内で明るさのばらつきの少ない反射型液晶表示装置を提供する必要がある。
【０００８】
本発明の目的は反射型液晶表示装置を大型化しても、画面内で明るさのばらつきの少ない反射型液晶表示装置を提供することにある。
【０００９】
【課題を解決するための手段】
前記課題は、以下のような方法を用いることにより解決できる。
【００１０】
それぞれの反射電極内の散乱特性を変化させ、視認位置に対して明るくなる方向を向けることにより実現できる。ここでいう散乱特性とはある散乱光出射角度に対する散乱光強度の変化のことであり、従来技術で示す特定方向への反射光を強くするということも含む。反射電極表面に形成する凹凸の底面形状は従来例と同様の半円形の形状である。明るくなる方向を観測者に向けるためには凹凸の向きを反射電極毎に変化させることで可能となる。反射型液晶表示装置の視認位置を規定し、視認位置と反射型液晶表示装置内に含まれる反射電極とのなす角度に応じて、反射電極表面に形成する凹凸を回転させる。具体的には凹凸の線対称軸を視認位置と反射電極のなす方位角とほぼ同一方向に向ける。そうすることにより、全ての反射電極で強く光を返す方向を視認位置に向けることができる。その結果、明るく、かつ面内の明るさのばらつきの少ない反射型液晶表示装置を実現することができる。
【００１１】
【発明の実施の形態】
以下、本発明の実施例を図面を用いて説明する。
【００１２】
図１は本発明の第１の実施例を示す反射型液晶表示装置５０の全体図とその中に含まれるスイッチング素子１５を有する側の基板の平面図、及び反射電極１８上に形成した凹凸１０２の対称軸１０９を示している。図２は本発明の第１の実施例を示す断面図である。図３は図２で示した凹凸１０２の製造工程を説明する製造工程図である。図４は凹凸１０２を形成する際に使用するマスク１０３を示している。図５は本実施例中で使用する散乱光出射角度を表す極角θL ，方位角φL の説明図である。図６は凹凸１０２の対称軸１０９を説明する図で、図７はφu ９０゜の凹凸を有する反射電極１８の散乱特性である。図８は視認方向121と反射型液晶表示装置５０に含まれる観測点１２４，１２５，１２６，１２７とのなす角度１３１，１３２，１３３，１３４及び１４１，１４２,１４３,１４４を示し、図９はφu ＝９０゜の凹凸１０２を形成した場合の観測点１２４，125,１２６，１２７での散乱光強度比、及び視認位置１２１と観測点１２４，１２５，１２６，１２７のなす角度の値を示した表である。図１０は本実施例の観測点１２４，１２５，１２６，１２７内のスイッチング素子１５を有する側の基板の平面図である。図１１は本実施例の観測点での散乱光強度比、及び視認位置と観測点のなす角度の値を示した表である。
【００１３】
図において、１１は絶縁基板、１２は透明絶縁基板、１３はゲートバス配線、１４はドレイン信号線、１５はスイッチング素子、１６は絶縁層、１７はコンタクトホール、１８は反射電極、３１はブラックマトリクス、３２はカラーフィルタ、３３は透明電極、３４は偏光板、３５は液晶層、５０は反射型液晶表示装置、１０１は凹凸形成層、１０２は凹凸、１０３は凹凸形成マスク、１０４は遮光部、１０９は凹凸対称軸、１１１はφ＝０゜の散乱光強度の変化、１１２はφ＝９０゜の散乱光強度の変化、１１３はφ＝１８０゜の散乱光強度の変化、１１４はφ＝２７０゜の散乱光強度の変化、１１５はθ＝３０゜の散乱光強度の変化、１２１は視認位置ａ、１２２は視認位置の射影ａ、１２４は観測点ａ、１２５は観測点ｂ、１２６は観測点ｃ、１２７は観測点ｄ、１３１は視認位置ａと観測点ａのなす極角ａ、１３２は視認位置ａと観測点ｂのなす極角ｂ、１３３は視認位置ａと観測点ｃのなす極角ｃ、１３４は視認位置ａと観測点ｄのなす極角ｄ、
１４１は視認位置ａと観測点ａのなす方位角ａ、１４２は視認位置ａと観測点ｂのなす方位角ｂ、１４３は視認位置ａと観測点ｃのなす方位角ｃ、１４４は視認位置ａと観測点ｄのなす方位角ｄ、３００は標準拡散板の散乱光強度の変化である。
【００１４】
本実施例で示す反射型液晶表示装置は、絶縁基板１１，スイッチング素子１５，絶縁層１６，ゲートバス配線１３，ドレイン信号線１４，凹凸１０２，反射電極１８，液晶層３５，透明電極３３，透明絶縁基板１２，ブラックマトリクス
３１，カラーフィルタ３２，偏光板３４により構成される。
【００１５】
この実施例１の反射型液晶表示装置の作製方法を以下に示す。
【００１６】
ガラス，プラスチック等からなる絶縁基板１１上にスイッチング素子１５を形成する。その際にゲートバス配線１３，ドレイン信号線１４も同時に形成する。スイッチング素子１５，ゲートバス配線１３，ドレイン信号線１４が形成された絶縁基板上に、ＳｉＮ，ＳｉＯ2 からなる無機系、もしくは有機系の絶縁層
１６を塗布する。その膜厚は無機系の場合には好ましくは０.２ 〜２μｍ、有機系の場合には好ましくは１〜５μｍである。本実施例では有機膜３μｍの厚さで形成した。絶縁層１６にはコンタクトホール１７が形成される。形成されるコンタクトホール１７の大きさは好ましくは５〜３０μｍ□である。本実施例では
１０μｍ□のコンタクトホールを形成した。
【００１７】
絶縁層１６上には凹凸１０２が形成され、その上には反射電極１８が形成される。
【００１８】
凹凸１０２，反射電極１８の形成方法を図３を用いて詳しく説明する。
【００１９】
（１）絶縁層１６，コンタクトホール１７形成後、有機系の凹凸形成層１０１  （ＰＣ４０７，(株)ＪＳＲ製）をスピンコート等の手法を用いて好ましくは０.１〜３μｍの厚さに塗布する(図３(ａ)）。本実施例では１μｍの厚
さに塗布した。
【００２０】
（２）図４に示すような凹凸形成マスク１０３を用いて露光し、現像工程を経て、凹凸形成層１０１は所望の形状の凹凸１０２にパターンニングされる  （図３（ｂ)〜(ｃ１））。その際の凹凸１０２の平面図を図３（ｃ２）に示す。凹凸形成マスク１０３にはコンタクトホール１７が配置される領域を除き、ほぼ全域に、かつできるだけ隙間のできないように半円状の遮光
部１０４が配置される。
【００２１】
（３）基板を平行に保ったまま１５０℃〜２５０℃，６０min の加熱処理をする
。本実施例では２３０℃，６０分の加熱処理をした（図３（ｄ））。
【００２２】
（４）加熱処理後Ａｕ，Ａｌ，Ａｇ等の反射率の高い金属膜をスパッタリング，デポ等の手法により成膜し、露光・現像の工程を経て反射電極１８を形成
する。
【００２３】
上記の工程で形成した凹凸１０２は加熱処理により表面形状が緩やかな円弧を描くような形状となる。その円弧は図３（ｄ）に示すように、凹凸の左右で傾斜角が異なる。これは現像の際の形状により決められ、現像時に円形のパターンを形成した場合には断面形状が左右対称となるが、本実施例のように半円状のパターンを形成することにより、図３（ｃ２）に示す凹凸１０２の直線部分と、円弧となっている部分で傾斜角を変えることができる。
【００２４】
一方、ガラス，プラスチックからなる透明絶縁基板１２上には染色法により作製したカラーフィルタ３２、及びブラックマトリクス３１が形成される。カラーフィルタ３２，ブラックマトリクス３１上には、ＩＴＯからなる透明電極３３が形成される。
【００２５】
上記の絶縁基板１１と透明絶縁基板１２を一定の間隙をもって貼り合せ、間隙に液晶層を封入し、反射型液晶表示装置５０となる。
【００２６】
液晶層３５はメルク製のＺＬＩで、メルク製のカイラル剤Ｓ８１１を約０.２％含む。液晶層３５の厚さは平均５μｍである。この液晶に電圧を印加することにより、電圧無印加時にはねじれ配向を、電圧印加時にはホメオトロピック配向を示し、両状態間をヒステリシス無しで遷移する。
【００２７】
以下に本実施例に示す各要素の内容を説明する。
【００２８】
ゲートバス配線１３，ドレイン信号線１４はそれぞれスイッチング素子１５のＯＮ／ＯＦＦを制御するための電圧，液晶層３５を駆動するための電圧が印加される。
【００２９】
本実施例では、スイッチング素子１５として逆スタガ構造のＴＦＴを使用している。スイッチング素子１５はゲートバス配線１３に印加される電圧でＯＮ／
ＯＦＦ状態に変化し、ＯＮ状態の場合にはドレイン信号線１４−反射電極１８間は導通状態となり、ＯＦＦ状態の場合にはドレイン信号線１４−反射電極１８間は絶縁状態となる。
【００３０】
コンタクトホール１７はスイッチング素子１５と反射電極１８を電気的に接続するために形成される。
【００３１】
反射電極１８はコンタクトホール１７を介してスイッチング素子１５に電気的に接続されている。スイッチング素子１５がＯＮの場合にはドレイン信号線１４に印加されている電位がそのまま反射電極に伝達され、スイッチング素子１５がＯＦＦの場合には反射電極１８はＯＮ状態で伝達された電圧を保持する。
【００３２】
液晶層３５は、反射電極１８に印加された電圧と、透明電極３３に印加された電圧の電位差により異なった光学特性を示す。この特性を利用して表示を行う。本実施例で使用した液晶層３５のねじれの角度は好ましくは０゜から９０゜の間とする。本実施例では５０゜とした。この液晶層３５を用いることにより、応答時間が短く、かつ絶縁基板１１と透明絶縁基板１２の間の間隙のばらつきに対して十分な裕度を持った液晶層３５を実現することができる。また、液晶の立ち上がる方向は反射型液晶表示装置５０の下側を向くようにしている。液晶の立ち上がる方向では暗表示の透過率増大が激しく、この方向から光が入射するとコントラスト比が低下するが、こうすることにより、コントラストを低下させる原因となる立ち上がり方向からの入射光を減らすことができるため、コントラストの高い表示を実現することができる。
【００３３】
凹凸１０２は反射電極１８に散乱性を付与するために形成される。凹凸１０２上に反射電極１８を形成することにより、反射電極１８表面も下地の形状を反映して同様の凹凸形状を有する。
【００３４】
ブラックマトリクス３１は隣接する反射電極間からの不要反射光が反射型液晶表示装置５０から出射するのを防止する働きを有し、表示特性の１つであるコントラストを向上させる機能を持つ。したがって、ブラックマトリクス３１は反射電極１８が配置される以外の領域に形成される。
【００３５】
本実施例では、反射型液晶表示装置５０からの散乱出射光方向を表すために図５（ａ）に示すように角度θL ，φL を用いる。θL は反射電極の法線を基準とし、法線に対してなす角として定義され、φL は散乱光の反射型液晶表示装置に対する射影が反射型液晶表示装置の水平方向の軸となす角度として定義する。反射型液晶表示装置の水平方向右向きを０゜とし、そこから反時計周りに角度を規定する。
【００３６】
また、反射電極１８表面に形成する凹凸１０２も対称軸１０９も傾きを有する。凹凸１０２の線対称軸を対称軸１０９とし、その傾きは反射型液晶表示装置の水平方向の軸とのなす角φunで規定する。反射型液晶表示装置５０の水平方向右向きを０゜とし、そこから反時計周りに角度を規定する。例として凹凸１０２の向きがφun＝９０゜の場合の平面形状、及び断面形状を図６（ａ)，(ｂ），(ｃ)に示す。図６（ａ）は平面形状で凹凸１０２は半円状となっている。図６（ｂ）は図６（ａ）においてφ＝９０゜の断面図で、図６（ｃ）は図６（ａ）において、φ＝０゜の断面図である。対称軸１０９に対して平行に見た場合の断面図は凹凸１０２の左右で傾斜に違いが見られ、対称軸１０９に対して垂直に見た場合には左右方向で傾斜の違いは見られない。
【００３７】
また、凹凸１０２の対称軸１０９には向きがあり、平面形状では凹凸の直線部分（図６（ａ）下側）から円弧部分に向かう方向（図６（ａ）下側）として定義した。つまり図６（ｂ）では断面形状の角度変化が急峻な方向（図６(ｂ)左側）から、角度変化が緩やかな方向（図６（ｂ）右側）となる。（ｃ）の場合には線対称軸は紙面手前から紙面奥に向かっている。
【００３８】
図７（ａ)，(ｂ）に凹凸の平均傾きφu ＝９０゜の場合の反射電極１８の散乱特性を示す。前述の平均傾きφu は同一反射電極内に形成した全ての凹凸の対称軸の傾きφunの平均値である。また、反射板上には液晶の屈折率１.５ にほぼ等しい媒質が接している。図７(ａ)にはφ＝０゜，９０゜，１８０゜，２７０゜一定とした場合のθL に対する散乱光強度の変化１１１，１１２，１１３，１１４を示し、図７（ｂ）にはθ＝３０゜一定とした場合のφL に対する散乱光強度の変化１１５を示している。反射電極下に形成した凹凸１０２の大きさは対称軸に垂直方向で幅１４〜１６μｍ、対称軸１０９方向は幅９〜１１μｍと幅を持たせている。高さは１μｍとしている。また、反射電極１８内に形成した個々の凹凸の傾きφunはばらつきを持たせず全て９０゜としている。個々の凹凸は干渉による色付きを防止するために不規則に配置している。この結果から分かるように
φ＝９０゜方向に光を強く反射し、その他の方位角方向にはあまり光を反射しない特性となっている。また、φL ＝２０〜１６０゜の範囲では標準拡散板の２倍以上の散乱光強度がえられている。つまり、凹凸１０２の傾斜角が緩やかな方向に光を強く返し、傾斜角が急峻な方向に光をあまり反射しない特性となっている。また、この特性はφu ＝９０゜の凹凸を形成した反射電極の特性であるが、
φu ＝０゜の凹凸を形成した反射電極の特性は図７（ａ)，(ｂ）の特性はφL ＝−９０゜だけシフトした特性となることは容易に推測される。
【００３９】
図８に視認位置１２１と反射型液晶表示装置５０内の観測点１２４，１２５，１２６，１２７とのなす極角１３１，１３２,１３３,１３４、及び方位角１４１，１４２，１４３，１４４を示す。反射型液晶表示装置５０内に含まれる反射電極の明るさはそれぞれ反射電極から視認位置１２１方向へ出射する散乱光強度比に比例し、散乱光強度は図７（ａ)，(ｂ）に示す特性と視認位置１２１と反射電極の位置から算出される極角、及び方位角から推測することができる。
【００４０】
図９に反射型液晶表示装置５０内に含まれる全ての反射電極でφu ＝９０゜の凹凸を形成した場合の観測点１２４，１２５，１２６，１２７での散乱光強度比、及び視認位置１２１と観測点１２４，１２５，１２６，１２７とのなす極角
１３１，１３２，１３３，１３４、及び方位角１４１，１４２，１４３，１４４を示す。散乱光強度比は視認位置１２１と各測定点とのなす角度と図７（ａ），（ｂ）の特性より求めたもので、標準拡散板の散乱光強度を１とした比で表している。散乱光強度比を求めるための極角１３１，１３２，１３３，１３４、及び方位角１４１，１４２，１４３，１４４は以下の仮定より算出した。反射型液晶表示装置５０の画面サイズは１２インチ，視認位置１２１と反射型液晶表示装置５０の距離を６０cm、視認位置１２１の反射型液晶表示装置５０に対する射影
１２２は水平方向は中央部，垂直方向は最上列とした。
【００４１】
この場合、観測点１２５と観測点１２６の散乱光強度比は２倍以上異なる。この構成では面内で明るさのばらつきの少ない反射型液晶表示装置を実現することは難しい。
【００４２】
本実施例ではその問題を解決するために観測点１２４、１２５,１２６,１２７に含まれる反射電極の表面に形成する凹凸１０２の対称軸を図１０（ａ)，(ｂ),(ｃ)，(ｄ)に示すように向け凹凸を形成した。前述のような向きの凹凸を形成する形状とすることにより、視認位置１２１での観測点１２４，１２５，１２６，１２７での明るさのばらつきが少なく良好な表示を実現することができる。具体的には各凹凸１０２の線対称軸１０９を視認位置１２１と観測点１２４，１２５，１２６，１２７とのなす方位角１４１，１４２，１４３，１４４と同一角度にする。つまり観測点１２４，１２５，１２６，１２７内に含まれる反射電極において、凹凸の対称軸が０゜，１８０゜，５６゜，１２４゜となるように凹凸を形成する。このような配置とすることにより、それぞれの反射電極の散乱特性は図７(ａ)，(ｂ)の特性をそれぞれ、φ方向に−９０゜，９０゜，−３４゜，３４゜だけシフトした特性となる。これにより、各反射電極に形成した凹凸の傾斜の緩やかな部分が視認位置に向く。つまり光を強く反射する方向が全ての反射電極で視認位置に対して向くことになる。したがって、反射型液晶表示装置５０内に配置された反射電極１８の散乱光強度は視認位置１２１と反射電極１８のなす方位角によっては変化せずに、視認位置１２１と反射電極１８のなす極角によってのみ変化することになり、明るさのばらつきが少ない反射型液晶表示装置を実現することができる。図１１に図１０に示すような凹凸を形成した場合の明るさの比と極角１３１，１３２，１３３，１３４、及び方位角１４１，１４２，１４３，１４４を示す。極角１３１，１３２，１３３,１３４、及び方位角１４１,１４２，１４３，１４４はφu ＝９０゜の凹凸を形成した場合と変わらないが、散乱光強度比は１.１８ まで低減していることが分かる。また、明るさの比が低減しているだけでなく、散乱光強度比もφu ＝９０゜の凹凸を形成した場合の観測点
１２６でのそれよりも高い値となっている。つまり、φu ＝９０゜の凹凸を全ての反射電極１８で形成した場合よりも明るく、かつ明るさの面内ばらつきの少ない反射型液晶表示装置５０を実現することができる。
【００４３】
また、本実施例で示した観測点以外の反射電極１８に形成する凹凸１０２の対称軸109も視認位置１２１と反射電極１８のなす角により決定される。例えば、反射型液晶表示装置の左上端の反射電極を座標原点（０，０）とし、視認位置の射影１２２の位置を（ｘ0，ｙ0  ）、任意の反射電極の位置を（ｘ，ｙ）とした場合に前記反射電極表面に形成する凹凸の対称軸は、
0003858519.tif 000002
【００４４】
を満たすような凹凸を形成することにより、標準拡散板の２倍以上の明るさを持ち、かつ明るさのばらつきの少ない反射型液晶表示装置を実現することができる。
【００４５】
本実施例によれば、視認位置の射影１２２が反射型液晶表示装置の上側中央部近傍にある場合、例えば１２インチ程度のパソコンモニタ等に反射型液晶表示装置を採用する場合に、視認位置１２１と反射型液晶表示装置内に含まれる反射電極とのなす角度に応じて、反射電極表面に形成する凹凸の対称軸の傾きを変化させることにより、明るく、かつ反射型液晶表示装置内で明るさのばらつきの少ない反射型液晶表示装置を実現することができる。
【００４６】
図１２は本発明の第２の実施例を示す視認位置１６１と観測点１２４，１２５，１２６，１２７のなす角１７１，１７２，１７３，１７４及び１８１，１８２，１８３，１８４を示している。図１３はφu ＝９０゜の凹凸を形成した場合の観測点１６１での散乱光強度比、及び視認位置と観測点のなす角度の値を示した表である。図１４は本実施例の観測点１２４，１２５，１２６，１２７でのスイッチング素子１５を有する側の基板の平面図である。図１５は本実施例の観測点１２４，１２５，１２６，１２７での散乱光強度比、及び視認位置と観測点のなす角度の値を示した表である。
【００４７】
図１２，図１４において前述の実施例に示したものと同一の構成要素には同じ番号をつけている。
【００４８】
図において、１６１は視認位置ｂ、１６２は視認位置の射影ｂ、１７１は視認位置ｂと観測点ａのなす極角ｅ、１７２は視認位置ｂと観測点ｂのなす極角ｆ、１７３は視認位置ｂと観測点ｃのなす極角ｇ、１７４は視認位置ｂと観測点ｄのなす極角ｈ、１８１は視認位置ｂと観測点ａのなす方位角ｅ、１８２は視認位置ｂと観測点ｂのなす方位角ｆ、１８３は視認位置ｂと観測点ｃのなす方位角ｇ、１８４は視認位置ｂと観測点ｄのなす方位角ｈである。
【００４９】
図１２に視認位置１６１と反射型液晶表示装置５０内の観測点１２４，１２５，１２６，１２７とのなす極角１７１，１７２，１７３，１７４、及び方位角
１８１，１８２，１８３，１８４を示す。反射電極の明るさは実施例１と同様に反射電極１８の視認位置１６１方向へ出射する散乱光強度比に比例し、その際の明るさは図７（ａ)，(ｂ）に示す特性と視認位置１６１と反射電極１８のなす角度で推測することができる。
【００５０】
図１３に全ての反射電極で図１７に示すようにφu ＝９０゜の凹凸を反射電極表面に形成した場合の観測点１２４，１２５，１２６，１２７での散乱光強度比、及び視認位置１６１と観測点１２４，１２５，１２６，１２７とのなす極角
１７１，１７２，１７３，１７４、及び方位角１８１，１８２，１８３，１８４を示す。明るさを推測するための極角１７１，１７２，１７３，１７４、及び方位角１８１，１８２，１８３，１８４は以下の仮定より算出した。反射型液晶表示装置５０の画面サイズは２０インチ、視認位置１６１と反射型液晶表示装置
５０の距離を２００cm，視認位置１６１の反射型液晶表示装置５０に対する射影１６２は水平方向，垂直方向共に中央部とした。
【００５１】
この場合、各観測点の散乱光強度比は最大２.３９ 倍異なる。これは角観測点での極角は同じになったもの、方位角が異なり、かつ観測点１２４，１２５の反射電極に対しては光があまり反射しない位置からの観測となるためである。つまりこの構成では面内で明るさのばらつきの少ない反射型液晶表示装置を実現することは難しい。
【００５２】
本実施例ではその問題を解決するために観測点１２４，１２５,１２６,１２７に含まれる反射電極の表面に形成する凹凸の形状を図１４（ａ)，(ｂ)，(ｃ)，（ｄ）に示すような形状とした。このようにすると、視認位置での観測点での明るさのばらつきが少なく良好な表示を実現することができる。具体的には各凹凸１０２の線対称軸１０９を視認位置１６１と観測点１２４，１２５，１２６，
１２７とのなす方位角１８１，１８２，１８３，１８４と同一角度にする。つまり観測点１８１，１８２，１８３，１８４内に含まれる反射電極において、凹凸１０２の対称軸が３２３゜，２１７゜，３７゜，１４３゜となるように凹凸102を形成する。これにより、それぞれの反射電極の散乱特性は図７（ａ)，(ｂ）の特性をそれぞれ、φ方向に２３３゜，１２７゜，−５３゜，５３゜だけシフトした特性となる。このように対称軸を傾けることにより、各反射電極に形成した凹凸の傾斜の緩やかな部分が視認位置に向く。つまり光を強く反射する方向が全ての反射電極で視認位置に対して向くことになる。したがって、反射型液晶表示装置５０内に配置された反射電極の明るさは視認位置１６１と反射電極のなす方位角によっては変化せず、かつ極角は同一角度であるため、各観測点で、明るさのばらつきがない反射型液晶表示装置を実現することができる。図１４に図１５に示すような凹凸１０２を形成した場合の明るさの比と極角１７１,１７２,１７３，１７４、及び方位角１８１，１８２，１８３，１８４を示す。極角１７１，
１７２，１７３，１７４、及び方位角１８１，１８２，１８３，１８４は変化はないが明るさの比は１となっている。また、明るさの比の低減だけではなく、散乱光強度もφun＝９０゜の凹凸を形成した場合の観測点１２６での明るさよりも明るい。つまり、反射電極内に形成するφunを全て同一方向とした時よりも明るく、かつ明るさの面内ばらつきの少ない反射型液晶表示装置を実現することができる。
【００５３】
また、本実施例で示した領域以外の反射電極に形成する凹凸の対称軸も視認位置１６１と反射電極のなす角により決定される。例えば反射型液晶表示装置の左上端の反射電極の位置を座標原点（０，０）とし、視認位置の射影１６２の位置を（ｘ0 ，ｙ0 ）、任意の反射電極の位置を（ｘ，ｙ）とした場合に前記反射電極表面に形成する凹凸の対称軸は
0003858519.tif 000003
【００５４】
を満たすような凹凸を形成することにより、標準拡散板の２倍以上の明るさを持ち、かつ明るさのばらつきの少ない反射型液晶表示装置を実現することができる。
【００５５】
本実施例によれば、視認位置の射影１６２が反射型液晶表示装置５０のほぼ中央部にある場合、例えば２０インチ以上の大画面ＴＶ等に反射型液晶表示装置を採用する場合に、視認位置１６１と反射型液晶表示装置内に含まれる反射電極とのなす角度に応じて、反射電極表面に形成する凹凸の形状を変化させることにより、明るく、かつ反射型液晶表示装置内で明るさのばらつきの少ない反射型液晶表示装置を実現することができる。
【００５６】
図１６は本発明の第２の実施例を示す断面図である。
【００５７】
図１６において前述の実施例に示したものと同一の構成要素には同じ番号をつけている。
【００５８】
図において４０は散乱性を有するフィルムである。
【００５９】
散乱性を有するフィルム４０はＰＥＴ等のフィルム表面にビーズを拡散したものが用いられ、そのフィルムは散乱性を有する。
【００６０】
本実施例の凹凸の形状，配置に関しては実施例１、もしくは２と同じである。本実施例では平面形状が半円状の凹凸を形成しているため、底面形状が円形の凹凸を形成した場合と比べて、凹凸の充填率が悪く、平坦部が多い反射電極となる。平坦部が多いと背景や顔が写り込み見にくい表示となる。そこで、偏光板
３４上に散乱性を有するフィルム４０を配置することにより、映り込みが少なく、かつ明るく、面内で明るさのばらつきの少ない反射型液晶表示装置を実現することができる。
【００６１】
本実施例において、散乱性を有するフィルム４０は偏光板の上側に配置されているが、位相差を持たないフィルムである場合には偏光板３４と反射電極１８の間であればどの位置に配置しても同様の効果が得られることは容易に推測できる。
【００６２】
上に示した全ての実施例に対して、凹凸、及び反射電極はスイッチング素子上に形成していないが、凹凸をスイッチング素子上に形成し、反射電極をその上に形成することにより、開口率が向上し、さらに明るい反射型液晶表示装置を実現することができる。
【００６３】
上に示した全ての実施例に対し、個々の凹凸対称軸の傾きは同一反射電極内で全て同じ方向を向けているが、多少のばらつきを持たせても同様の効果が得られることは容易に推測できる。
【００６４】
上に示した全ての実施例に対し、凹凸の底面形状を半円状としているが、三日月状，三角形等の形状でも、少なくても１軸に対して断面形状が非対称となる凹凸であれば同様の効果が得られることは容易に推測できる。
【００６５】
【発明の効果】
本発明によれば、明るく、かつ反射型液晶表示装置内で明るさのばらつきの少ない反射型液晶表示装置を実現することができる。
【図面の簡単な説明】
【図１】第１実施例の反射型液晶表示装置における反射型液晶表示装置の全体図とその中に含まれるスイッチング素子を有する側の基板の平面図である。
【図２】第１実施例の反射型液晶表示装置における断面図である。
【図３】図２における凹凸の作成方法を説明する製造工程図である。
【図４】図３における現像工程で使用する凹凸形成マスクの平面図である。
【図５】散乱光出射角度の定義を説明する図である。
【図６】凹凸の対称軸を説明する図である。
【図７】φu ＝９０゜の凹凸を有する反射板の散乱特性である。
【図８】第１実施例における視認位置と観測点のなす角度を説明する図である。
【図９】図８においてφu ＝９０゜の凹凸を反射電極表面に形成した場合の観測点での散乱光強度比、及び視認位置と観測点のなす角を示した表である。
【図１０】第１実施例における観測点内に含まれるスイッチング素子を有する側の基板の平面図である。
【図１１】第１実施例において、図１０に示す凹凸を形成した場合の観測点での散乱光強度比、及び視認位置と観測点のなす角を示した表である。
【図１２】第２実施例における視認位置と観測点のなす角度を説明する図である。
【図１３】図１２において、φu ＝９０゜の凹凸を反射電極表面に形成した場合の観測点での散乱光強度比、及び視認位置と観測点のなす角を示した表である。
【図１４】第２実施例における観測点内に含まれるスイッチング素子を有する側の基板の平面図である。
【図１５】第２実施例において、図１４に示す凹凸を形成した場合の観測点での散乱光強度比、及び視認位置と観測点のなす角を示した表である。
【図１６】第３実施例の反射型液晶表示装置における断面図である。
【図１７】従来スイッチング素子を有する側の基板の平面図である。
【図１８】従来例における凹凸の作成方法を説明する製造工程図である。
【符号の説明】
１１…絶縁基板、１２…透明絶縁基板、１３…ゲーートバス配線、１４…ドレイン信号線、１５…スイッチング素子、１６…絶縁層、１７…コンタクトホール、１８…反射電極、３１…ブラックマトリクス、３２…カラーフィルタ、３３…透明電極、３４…偏光板、３５…液晶層、４０…散乱性を有するフィルム、５０…反射型液晶表示装置。
【図１】
0003858519.tif 000005
【図２】
0003858519.tif 000006
【図３】
0003858519.tif 000007
【図４】
0003858519.tif 000008
【図５】
0003858519.tif 000009
【図６】
0003858519.tif 000010
【図７】
0003858519.tif 000011
【図８】
0003858519.tif 000012
【図９】
0003858519.tif 000013
【図１０】
0003858519.tif 000014
【図１１】
0003858519.tif 000015
【図１２】
0003858519.tif 000016
【図１３】
0003858519.tif 000017
【図１４】
0003858519.tif 000018
【図１５】
0003858519.tif 000019
【図１６】
0003858519.tif 000020
【図１７】
0003858519.tif 000021
【図１８】
0003858519.tif 000022